(57)【要約】【課題】  送信対象の監視装置が停止中や無人の場合は他の監視装置に送信先を切替えることにより、情報伝達を早く確実に行うことができる監視制御システムを提供すること。【解決手段】  監視装置１Ａへの送信情報が予め設定された繰返し回数受信されなかったり、或いは情報送信先が無人であったり、更には予め設定した送信時間帯でない場合などには、送信先を他の監視装置１Ｂ、または１Ｃに切替えることにより、監視対象の状態を制御装置２から監視員へ早く、確実に情報を伝えることができる。【選択図】図１
2006099640.tif 000002
【特許請求の範囲】
【請求項１】
監視対象毎に設けられる制御装置に対して通信回線を介して接続可能な複数の監視装置を有し、情報通信が必要な場合に、前記制御装置と前記複数の監視装置のいずれかとを、通信回線により接続する監視制御システムであって、
前記制御装置は、通信回線により接続された監視装置への送信情報が受信されたかを確認する確認手段と、情報送信可能な前記監視装置を登録した送信先リストと、通信回線により接続された監視装置への送信情報が予め設定された回数受信されなかったことが前記確認手段により検出されると情報送信先を前記送信先リストに登録された他の監視装置に切替える送信先切替手段とを有する
ことを特徴とする監視制御システム。
【請求項２】
監視対象毎に設けられる制御装置に対して通信回線を介して接続可能な複数の監視装置を有し、情報通信が必要な場合に、前記制御装置と前記複数の監視装置のいずれかとを、通信回線により接続する監視制御システムであって、
前記制御装置は、前記複数の監視装置について情報送信可能な時間帯をそれぞれ設定した時間帯別送信先リストと、この時間帯別送信先リストに設定された時間帯毎に送信先を該当する監視装置に切替える送信先切替手段とを有する
ことを特徴とする監視制御システム。
【請求項３】
監視対象毎に設けられる制御装置に対して通信回線を介して接続可能な複数の監視装置を有し、情報通信が必要な場合に、前記制御装置と前記複数の監視装置のいずれかとを、通信回線により接続する監視制御システムであって、
前記監視装置は、有人状態か無人状態かの情報を前記制御装置に送信する有人／無人情報送信手段を有し、
前記制御装置は、情報送信可能な前記監視装置を登録した送信先リストと、通信回線により接続された監視装置から無人情報が受信されると通信回線を介した情報送信先を前記送信先リストに登録された他の監視装置に切替える送信先切替手段とを有する
ことを特徴とする監視制御システム。
【請求項４】
監視対象毎に設けられる制御装置に対して通信回線を介して接続可能な複数の監視装置を有し、情報通信が必要な場合に、前記制御装置と前記複数の監視装置のいずれかとを、通信回線により接続する監視制御システムであって、
前記制御装置は、通信回線により接続された監視装置への送信情報が受信されたかを確認する確認手段と、情報送信可能な前記監視装置を登録した送信先リストと、前記複数の監視装置について情報送信可能な時間帯をそれぞれ設定した時間帯別送信先リストと、通信回線により接続された監視装置への送信情報が予め設定された回数受信されなかったことが前記確認手段により検出されると通信回線を介した情報送信先を前記送信先リストに登録された他の監視装置に切替える機能および時間帯別送信先リストに設定された時間帯毎に送信先を該当する監視装置に切替える機能を備えた送信先切替手段とを有する
ことを特徴とする監視制御システム。
【請求項５】
監視対象毎に設けられる制御装置に対して通信回線を介して接続可能な複数の監視装置を有し、情報通信が必要な場合に、前記制御装置と前記複数の監視装置のいずれかとを、通信回線により接続する監視制御システムであって、
前記監視装置は、有人状態か無人状態かの情報を前記制御装置に送信する有人／無人情報送信手段を有し、
前記制御装置は、情報送信可能な前記監視装置を登録した送信先リストと、前記複数の監視装置について情報送信可能な時間帯をそれぞれ設定した時間帯別送信先リストと、通信回線により接続された監視装置から無人情報が受信されると通信回線を介した情報送信先を前記送信先リストに登録された他の監視装置に切替える機能および前記時間帯別送信先リストに設定された時間帯毎に送信先を該当する監視装置に切替える機能を備えた送信先切替手段とを有する
ことを特徴とする監視制御システム。
【発明の詳細な説明】
【技術分野】
【０００１】
本発明は、上下水道設備など、プラントの監視対象毎に設けられる制御装置に対して通信回線を介して接続可能な複数の監視装置を有し、前記制御装置と前記複数の監視装置のいずれかとを、情報通信が必要な場合に通信回線により接続する監視制御システムに関する。
【背景技術】
【０００２】
各種監視対象の状態を遠方の監視設備により通信回線を介して監視することが広く行われている。このような監視システムでは、監視対象からの情報が特定の監視装置に集中すると、この監視装置では処理しきれなくなるため、一旦他の無人監視端末で受信し、あとで所定の監視装置に転送することが提案されている（例えば、特許文献1参照）。
【０００３】
この提案では、情報が集中した場合の対応については有効であるが、受信側の故障や監視員の不在などによって、所定の情報が監視員に伝達できない場合には対処できない。
【０００４】
一般に、各種プラントの監視制御システムでは、監視対象側に制御装置を設け、監視装置との間を通信回線で接続し、監視対象側に故障が発生した場合など、制御装置から通信回線を介して監視装置に情報を送信し、この情報を監視員に知らせるように構成している。すなわち、制御装置と監視装置とを接続可能な回線を使用し、情報送信が必要な場合にのみ通信回線を接続して、制御装置から監視装置に情報送信を行い、監視装置上でこの情報を表示し、監視員に知らせるようにしている。
【０００５】
このような監視制御システムでは、受信側の監視装置が故障などにより停止していたり、監視装置の近くに人がいない場合、制御装置から監視装置に情報を送信しても、情報は伝わらない。そこで、監視装置に、電話、FAX、メール等を設け、制御装置から情報を受信した場合、予め設定した場所に情報を転送する機能を設けることで、制御装置が送信した情報を、プラント監視員に伝えている。
【０００６】
しかし、このようなシステムであっても、監視装置が停止していれば、制御装置から受信した情報を転送することができないし、転送可能であっても、制御装置からの情報を監視装置で受けてから転送するため、情報が伝わるまでに時間がかかり、通信費も余計にかかる。
【特許文献１】特開２００１−７２３５０号公報
【発明の開示】
【発明が解決しようとする課題】
【０００７】
このように、受信側の監視装置が停止中であったり、近くに人がいない場合は制御装置から送信した情報が監視員に伝わらず、転送を行う場合も、情報が伝わるまでに時間がかかり、通信費も余計にかかった。
【０００８】
本発明の目的は、送信対象の監視装置が停止中や無人の場合は他の監視装置に送信先を切替えることにより、情報伝達を早く確実に行うことができる監視制御システムを提供することにある。
【課題を解決するための手段】
【０００９】
本発明の監視制御システムは、監視対象毎に設けられる制御装置に対して通信回線を介して接続可能な複数の監視装置を有し、情報通信が必要な場合に、前記制御装置と前記複数の監視装置のいずれかとを、通信回線により接続する監視制御システムであって、前記制御装置は、通信回線により接続された監視装置への送信情報が受信されたかを確認する確認手段と、情報送信可能な前記監視装置を登録した送信先リストと、通信回線により接続された監視装置への送信情報が予め設定された回数受信されなかったことが前記確認手段により検出されると情報送信先を前記送信先リストに登録された他の監視装置に切替える送信先切替手段とを有することを特徴とする。
【００１０】
また、本発明では、制御装置は、前記複数の監視装置について情報送信可能な時間帯をそれぞれ設定した時間帯別送信先リストと、この時間帯別送信先リストに設定された時間帯毎に送信先を該当する監視装置に切替える送信先切替手段とを有するように構成してもよい。
【００１１】
また、本発明では、監視装置は、有人状態か無人状態かの情報を前記制御装置に送信する有人／無人情報送信手段を有し、制御装置は、情報送信可能な前記監視装置を登録した送信先リストと、通信回線により接続された監視装置から無人情報が受信されると通信回線を介した情報送信先を前記送信先リストに登録された他の監視装置に切替える送信先切替手段とを有する構成でもよい。
【００１２】
また、本発明では、制御装置は、通信回線により接続された監視装置への送信情報が受信されたかを確認する確認手段と、情報送信可能な前記監視装置を登録した送信先リストと、前記複数の監視装置について情報送信可能な時間帯をそれぞれ設定した時間帯別送信先リストと、通信回線により接続された監視装置への送信情報が予め設定された回数受信されなかったことが前記確認手段により検出されると通信回線を介した情報送信先を前記送信先リストに登録された他の監視装置に切替える機能および時間帯別送信先リストに設定された時間帯毎に送信先を該当する監視装置に切替える機能を備えた送信先切替手段とを有する構成としてもよい。
【００１３】
さらに、本発明では、監視装置は、有人状態か無人状態かの情報を前記制御装置に送信する有人／無人情報送信手段を有し、制御装置は、情報送信可能な前記監視装置を登録した送信先リストと、前記複数の監視装置について情報送信可能な時間帯をそれぞれ設定した時間帯別送信先リストと、通信回線により接続された監視装置から無人情報が受信されると通信回線を介した情報送信先を前記送信先リストに登録された他の監視装置に切替える機能および前記時間帯別送信先リストに設定された時間帯毎に送信先を該当する監視装置に切替える機能を備えた送信先切替手段とを有する構成でもよい。
【発明の効果】
【００１４】
本発明によれば、監視装置へ送信した情報が予め設定された繰返し回数受信されなかったり、或いは、情報送信先が無人であったり、更には、予め設定した送信時間帯でない場合などには、送信先を切替えることにより、制御装置から監視員へ早く、確実に情報を伝えることができる。
【発明を実施するための最良の形態】
【００１５】
以下、本発明による監視制御システムの一実施の形態について、図面を用いて詳細に説明する。
【００１６】
図１において、２は制御装置で、複数の場所に設置され、それぞれの場所に設置されている図示しない機器（監視対象）の制御を行う。１は監視装置で、複数台設置され、そのうち１台は主に使用される監視装置１Ａ、それ以外は、主たる監視装置１Ａが停止していた場合に使用される予備の監視装置１Ｂである。例えば、監視装置1は、下水処理場に２台設置され、１台を通常の運用で使用し、もう１台はバックアップ用として使用し、どちらか一方が故障しても、もう一方の監視装置でシステムの監視が行えるようにする。
【００１７】
これら制御装置２と監視装置1は、情報送信が必要な場合にのみ通信回線３で接続される。例えば、制御装置２は、制御対象機器（監視対象）の状態が異常になった場合、監視装置１Ａと通信回線３を使用して接続し、この接続された監視装置１Ａに情報を送信する。
【００１８】
制御装置２は、通信回線３により接続された監視装置１Ａへの送信情報が、送信先の監視装置１Ａで受信されたかを確認する確認手段を有する。また、通信回線３により情報送信可能な監視装置１Ａ，１Ｂ，・・・を登録した送信先リストを有する。さらに、通信回線３により接続された監視装置１Ａへ送信した情報が受信されない場合、送信先を予備の監視装置１Ｂに切替える送信先切替手段を有する。
【００１９】
すなわち、制御装置２は、監視装置１Ａに情報を送信する場合、１回の送信で相手側に受信されなくとも、送信を繰り返す。送信先切替手段は、この繰返し送信回数が、予め設定された回数となっても受信されないことが前記確認手段により検出されると、送信先の監視装置１Ａが故障または停止している判断し、情報送信先を前記送信先リストに登録された他の監視装置１Ｂに切替える。
【００２０】
この場合、制御装置２は、監視装置１Ａから、復旧した旨の情報を受け取らない限り、以後、監視装置１Ｂに情報を送信するようになる。
【００２１】
このように、制御装置２に情報の送信先を複数設定し、情報が送信できなかった場合には、送信先を変更できるようにしている。したがって、制御装置２の送信先リストに情報送信先を複数登録しておき、送信出来なかった場合には、次の送信先に送信することにより、ある一つの監視装置１Ａが停止していても情報を他の監視装置１Ｂに送信できる。すなわち、情報の伝達が滞ることはなく、監視員に対し早く確実に情報を伝えることができる。また、監視装置１Ａ，１Ｂのどちらか一方が故障した場合でも、必ずもう一方の監視装置に情報が送信されるようになり、監視装置１の故障がシステムの監視に影響を与えないようにできる。
【００２２】
次に、図２で示す実施の形態を説明する。このシステムにおいても、制御装置２は複数の場所に設置され、それぞれの場所に設置されている機器（監視対象）の制御を行う。また、監視装置１は複数台設置されるが、このうち１台は有人の場所に設置される監視装置１Ａであり、もう１台は、監視装置１Ａが設置された場所が無人になる時間帯に使用される監視装置１Ｃである。
【００２３】
例えば、監視装置１のうち、１台の監視装置１Ａは下水処理場に設置され、平日昼間に使用される。もう１台の監視装置１Ｃは管理会社の事務所に設置され、管理会社の職員が夜間や休日など、一方の監視装置１Ａの設置場所が無人になる時間帯の監視に使用される。すなわち、監視員の誰かが、いずれかの監視装置１の近くにいるように、送信先監視装置１Ａ，１Ｃの場所と時間帯を設定する。
【００２４】
これら制御装置２と監視装置1は、情報送信が必要な場合にのみ通信回線３で接続される。例えば、制御装置２は、制御対象機器（監視対象）の状態が異常になった場合、監視装置1のいずれかと通信回線３を使用して接続し、接続された監視装置1に情報を送信する。
【００２５】
制御装置２は、前記複数の監視装置１Ａ，１Ｃについて、情報送信可能な時間帯をそれぞれ設定した時間帯別送信先リストを有する。また、この時間帯別送信先リストに設定された時間帯毎に送信先を該当する監視装置に切替える送信先切替手段を有する。すなわち、送信相手である監視装置1を、予め設定された時間帯情報により切替える機能を持つ。
【００２６】
例えば、前述のように平日昼間の時間帯は監視装置１Ａが送信先に設定され、夜間や休日など無人になる時間帯は、監視装置１Ａではなく監視装置１Ｃに送信するように、時間帯別送信リストに設定しておく。この場合、制御装置２は、平日昼間以外の時間帯になると情報送信先を監視装置１Ｃに切替えて情報送信を行う。
【００２７】
なお、監視装置１Ｃから応答がない場合には、制御装置２は送信先リストに登録された他の送信先に順番に情報を送信し、受信応答があるまで、登録順に送信を行う。リストの最後まで送信を試みたが受信されなかった場合には、次回、情報送信するタイミングで、今回送信できなかった情報も合わせて送信する。
【００２８】
このように、制御装置２に、情報の送信先となる監視装置１を複数設定でき、これらの相手先を時間帯によって切替えることにより、夜間等、無人になる時間帯でも、監視員が存在する別の監視装置１Ｃに情報を送信するので、送信情報を確実に監視員に伝えることができる。この場合、監視装置１Ａが設置されている場所が無人となった場合には、監視装置１Ａ経由で転送するのではなく、制御装置２から直接、監視装置１Ｃへ送信するので、通信回数や時間単位など従量制で通信費が課金される場合には、通信費を節約できる。
【００２９】
次に、図３で示す実施の形態を説明する。このシステムにおいても、制御装置２は複数の場所に設置され、それぞれの場所に設置されている機器（監視対象）の制御を行う。また、監視装置１は複数台設置されるが、このうち１台は有人の場所に設置される監視装置１Ａ、それ以外は、監視装置１Ａが故障した場合に使用される監視装置１Ｂや、監視装置１Ａが設置された場所が無人となる時間帯に使用される監視装置１Ｃである。例えば、監視装置１Ａは、下水処理場の監視室、監視装置１Ｂは下水処理場の予備用、監視装置１Ｃは管理会社の事務所に設置されている。すなわち、必ず、監視員の誰かに制御装置２からの情報を表示できるようにする。
【００３０】
また、これら制御装置２と監視装置1は、情報送信が必要な場合にのみ通信回線３で接続される。例えば、制御装置２は、制御対象機器（監視対象）の状態が異常になった場合、監視装置1のいずれかと通信回線３を使用して接続され、この接続された監視装置1に情報を送信する。
【００３１】
ここで、制御装置２は、通常時の送信先である監視装置１Ａに対して情報を送信したが応答がない場合や、監視装置の設置された場所が無人になると設定された時間帯になった場合、予め設定された監視装置１Ｂまたは監視装置１Ｃへの宛先情報により、情報の送信先を切替えられる機能を持つ。
【００３２】
このために、制御装置２は通信回線により接続された監視装置１Ａへの送信情報が受信されたかを確認する確認手段を有する。また、情報送信可能な監視装置１Ａ，１Ｂ，・・・を登録した送信先リストと、複数の監視装置１Ａ，１Ｂ，１Ｃ，・・・について情報送信可能な時間帯をそれぞれ設定した時間帯別送信先リストとを有する。さらに、通信回線３により接続された監視装置１Ａへ送信した情報が受信されない場合や、時間帯に応じて送信先を他の監視装置１Ｂまたは１Ｃに切替える送信先切替手段を有する。
【００３３】
すなわち、制御装置２の送信先切替手段は、監視装置１Ａに情報を送信する場合、その送信繰返し回数が、予め設定された回数となっても受信されないことが確認手段により検出されると、情報送信先を前記送信先リストに登録された他の監視装置１Ｂに切替える機能を有する。また、制御装置２の送信先切替手段は、前記時間帯別送信先リストに設定された時間帯になると、送信先を該当する監視装置１Ｃに切替える機能も有する。
【００３４】
このように、制御装置２は、監視装置１Ａに情報送信を繰り返したが受信されなかった場合には、監視装置１Ａが故障または停止しているものとみなし、監視装置１Ａが停止している場合の送信先として予め登録されている監視装置１Ｂに対して情報を送信する。この場合、制御装置２は、監視装置１Ａから、復旧した情報を受け取らない限り、以後、監視装置１Ｂに情報を送信するようになる。
【００３５】
また、時間帯別送信リストには、夜間や休日には、監視装置１Ａではなく、監視員が存在する監視装置１Ｃに送信するように設定されているので、制御装置２は、夜間や休日には、監視装置１Ｃへ情報送信を行うように送信先を切替える。この場合、監視装置１Ｃから応答がない場合には、制御装置２に登録された送信先に順番に情報を送信し、受信応答があるまで、登録順に送信を行う。リストの最後まで送信を試みたが受信されなかった場合には、次回に情報送信するタイミングで送信できなかった情報も合わせて送信する。
【００３６】
また、監視装置１Ａが故障し、監視装置１Ｂが第１優先順位の送信先として動作中に、監視装置１Ｂの設置場所が無人になる時間帯となった場合には、監視装置１Ｃに対して情報を送信するように送信先を切替える。監視装置１Ａまたは１Ｂが有人となる時間帯になった場合には、監視装置１Ａから復旧情報を受信していれば監視装置１Ａに、受信していなければ監視装置１Ｂに情報送信を行うようになる。
【００３７】
このように、制御装置２に情報の送信先を複数設定でき、時間帯によって相手先を切り替えることにより、監視装置１が故障したり、あるいは監視装置が設置された場所が無人になる時間帯でも、情報を監視員に送信できる。すなわち、マスター監視装置１Ａの故障や、マスター監視装置１Ａが設置された場所が無人になる時間帯によって送信先を変更することにより、確実に情報を監視員に送信できる。また、マスター監視装置１Ａが設置されている場所が無人となった場合には、マスター監視装置１Ａ経由ではなく、制御装置２から直接送信するので、通信回数や時間単位など従量制で通信費が課金される場合には、通信費が節約できる。
【００３８】
次に、図４で示す実施の形態を説明する。このシステムにおいても、制御装置２は複数の場所に設置され、それぞれの場所に設置されている機器（監視対象）の制御を行う。また、監視装置１は複数台設置されるが、このうち１台は有人の場所に設置される監視装置１Ａ、それ以外は、監視装置１Ａが故障した場合に使用される監視装置１Ｂや、監視装置１Ａが設置された場所が無人の時間帯に使用される監視装置１Ｃである。例えば、監視装置１Ａは、下水処理場の監視室、監視装置１Ｂは下水処理場の予備用、監視装置１Ｃは管理会社の事務所に設置されている。すなわち、必ず、誰かに制御装置２からの情報を表示できるようにする。
【００３９】
また、これら制御装置２と監視装置1は、情報送信が必要な場合にのみ通信回線３で接続される。例えば、制御装置２は、制御対象機器（監視対象）の状態が異常になった場合、監視装置1のいずれかと通信回線３を使用して接続され、この接続された監視装置1に情報を送信する。
【００４０】
監視装置１は、有人状態か無人状態かを判定する有人／無人判定手段４を有する。そして、有人／無人判定手段４で判定された結果、すなわち、有人か無人かの情報を前記制御装置２に送信する有人／無人情報送信手段を有する。
【００４１】
また、制御装置２は、情報送信可能な前記監視装置１Ａ，１Ｂ，・・・を登録した送信先リストと、複数の監視装置１Ａ，１Ｂ，１Ｃ，・・・について情報送信可能な時間帯をそれぞれ設定した時間帯別送信先リストとを有する。更に、情報の送信先を切替える送信先切替手段を有する。
【００４２】
送信先切替手段は、通信回線３により接続された送信先の監視装置１Ａから無人情報の応答信号が受信されると、情報送信先を前記送信先リストに登録された他の監視装置１Ｂに切替える機能を有する。すなわち、監視装置１Ａに情報を送信した時、情報を受信したことを示す応答に監視装置1Ａが無人であるという情報が含まれていた場合、または、監視装置１Ａに情報を送信しても受信されなかった（応答がない）場合には、送信先切替手段は送信先を監視装置１Ｂに切替えて情報を送信する。
【００４３】
また、送信先切替手段は、前記時間帯別送信先リストに設定された時間帯になると、送信先を該当する監視装置１Ｃに切替える機能をも有する。
【００４４】
なお、監視装置１Ａが無人であること判定する有人／無人判定手段４は、監視装置１Ａの操作員が手動で設定したり、監視装置１Ａに温度センサー等からの信号を入力したり、操作員の名札等につけられた無線タグの情報を読み取ることで自動的に判定させる。
【００４５】
また、監視装置１Ｃから応答がない場合には、制御装置２に登録された送信先に順番に情報を送信し、受信応答があるまで登録順に送信を行う。リストの最後まで送信を試みたが受信されなかった場合には、次回に情報送信するタイミングで送信できなかった情報も合わせて送信する。
【００４６】
このように、監視装置が無人になった場合に、予め設定された相手先にも情報を送信することにより、監視装置が設置された場所が無人になる時間帯でも、情報を監視員に送信できる。すなわち、無人応答或いは時間帯によって送信先を変更することにより、監視装置が設置された場所が無人だった場合にも、情報を監視員に送信できる。また、マスター監視装置１Ａが設置されている場所が無人となった場合には、マスター監視装置１Ａと、無人時の送信先１Ｂまたは１Ｃの両方に情報が送信されるため、マスター監視装置１Ａには常に最新の情報が表示されるようになる。
【図面の簡単な説明】
【００４７】
【図１】本発明による監視制御システムの一実施の形態を示すブロック図である。
【図２】本発明の他の実施の形態を示すブロック図である。
【図３】本発明のさらに他の実施の形態を示すブロック図である。
【図４】本発明の別の他の実施の形態を示すブロック図である。
【符号の説明】
【００４８】
１Ａ，１Ｂ，１Ｃ    監視装置
２    制御装置
３    通信回線
４    有人・無人判定手段
【図１】
2006099640.tif 000003
【図２】
2006099640.tif 000004
【図３】
2006099640.tif 000005
【図４】
2006099640.tif 000006